(57)【要約】【課題】施工が簡単で、しかも隣接する床パネル同士を強固に安定して連結することができる二重床構造を提供する。【解決手段】この二重床構造は、複数の床パネル１・・を複数の支持脚２・・によって支持してなる。床パネル１は、略長方形の床下地材５と、この床下地材５の一端部１０に沿って固定されて側方へ張り出した帯板６と、床下地材５の他端部１１に沿って固定されて側方へ張り出した連結板７とを一体に組み付けてなる。そして、帯板６を支持脚２上に設置するとともに、その帯板６の張出部１５に、隣接する床パネル１の床下地材５の端部を設置し、連結板７の張出部１７に、別の隣接する床パネル１の床下地材５の端部を設置する。【選択図】図２
2007113190.tif 000002
【特許請求の範囲】
【請求項１】
複数の床パネル（１）・・を複数の支持脚（２）・・によって所定の高さ位置に支持した状態で並設してなる二重床構造であって、前記床パネル（１）は、略長方形又は略正方形の床下地材（５）と、この床下地材（５）の一端部（１０）に沿って固定された状態で前記一端部（１０）に対して直交する方向へ張り出した帯板（６）と、前記床下地材（５）の一端部（１０）に対して直交する他端部（１１）に沿って固定された状態で前記他端部（１１）に対して直交する方向へ張り出した連結板（７）とを一体に組み付けてなり、前記帯板（６）を前記支持脚（２）上に設置するとともに、その帯板（６）の張出部（１５）に、隣接する床パネル（１）の床下地材（５）の端部を設置し、前記連結板（７）の張出部（１７）に、別の隣接する床パネル（１）の床下地材（５）の端部を設置したことを特徴とする二重床構造。
【請求項２】
前記帯板（６）を、前記床下地材（５）の他端部（１１）に対して直交する方向へも張り出すように延出して、その延出部（１６）に、前記別の隣接する床パネル（１）の床下地材（５）の端部を設置した請求項１記載の二重床構造。
【請求項３】
複数の支持脚（２）・・によって所定の高さ位置に支持された状態で並設されて、二重床を構成する床パネル（１）であって、略長方形又は略正方形の床下地材（５）と、この床下地材（５）の一端部（１０）に沿って固定された状態で前記一端部（１０）に対して直交する方向へ張り出した帯板（６）と、前記床下地材（５）の一端部（１０）に対して直交する他端部（１１）に沿って固定された状態で前記他端部（１１）に対して直交する方向へ張り出した連結板（７）とを一体に組み付けてなり、前記帯板（６）を前記支持脚（２）上に設置するとともに、その帯板（６）の張出部（１５）に、隣接する床パネル（１）の床下地材（５）の端部を設置し、前記連結板（７）の張出部（１７）に、別の隣接する床パネル（１）の床下地材（５）の端部を設置するようにしたことを特徴とする床パネル。
【請求項４】
前記帯板（６）を、前記床下地材（５）の他端部（１１）に対して直交する方向へも張り出すように延出して、その延出部（１６）に、前記別の隣接する床パネル（１）の床下地材（５）の端部を設置するようにした請求項３記載の床パネル。
【請求項５】
前記帯板（６）の裏面に、前記支持脚（２）を一体に組み付けた請求項３又は４記載の床パネル。
【請求項６】
前記床下地材（５）の裏面に、断熱材（８）を一体に組み付けた請求項３乃至５のいずれかに記載の床パネル。
【発明の詳細な説明】
【技術分野】
【０００１】
この発明は、主として戸建て住宅や集合住宅に適用される二重床構造及びこれに用いる床パネルに関する。
【背景技術】
【０００２】
戸建て住宅の一階床として、土間コンクリート上に設置した複数の支持脚によって複数の床パネルを所定の高さ位置に支持した二重床が知られており、このような二重床を採用することで、大引や根太を廃止することができる。
【０００３】
この種の二重床の施工に際しては、土間コンクリート上に複数の支持脚を設置して、それら支持脚の上面間に跨るようにして複数の帯板を互いに平行に取り付け、これら帯板間に跨るようにして複数の床パネルを敷き並べている。
【０００４】
ところが、上記のような施工においては、支持脚、帯板、床パネルを順次位置決めしながら取り付けるので、面倒な作業を強いられ、多くの時間を要するといった不具合があった。
【０００５】
そこで、帯板を予め一体に取り付けた床パネルを用いることで、床パネルと帯板の取り付け作業を同時に行って、施工の簡略化を図るようにした施工方法が提案されている(例えば、特許文献１参照)。
【０００６】
【特許文献１】特開平６−３４６５７７号公報
【発明の開示】
【発明が解決しようとする課題】
【０００７】
図１１は、一般的な二重床の施工状態を示しており、隣接する床パネル４０・・の端部間において、帯板４１・・を介して連結された目地部分４２・・と連結されていない目地部分４３・・が生じて、特に目地部分４３では、強度的に弱くて段差が生じ易いといった問題があった。このため、このような目地部分４３に対しては、別途連結用の板材を用意して、その板材を介して目地部分４３を連結していることが多い。
【０００８】
上記のように帯板を予め一体に取り付けた床パネルを用いる場合も同様で、例えば特許文献１にも開示されているように、帯板によって連結されていない隣接する床パネルの端部同士を、後付けの板材によって連結している。
【０００９】
しかしながら、この場合、床パネルを取り付けた後に、さらに板材による連結作業が必要となり、施工性の悪化を招いていた。
【００１０】
そこで、この発明は、上記の不具合を解消して、施工が簡単で、しかも隣接する床パネル同士を強固に安定して連結することができる二重床構造及びこれに用いる床パネルの提供を目的とする。
【課題を解決するための手段】
【００１１】
上記課題を解決するため、この発明の二重床構造は、複数の床パネル１・・を複数の支持脚２・・によって所定の高さ位置に支持した状態で並設してなるものであって、前記床パネル１は、略長方形又は略正方形の床下地材５と、この床下地材５の一端部１０に沿って固定された状態で前記一端部１０に対して直交する方向へ張り出した帯板６と、前記床下地材５の一端部１０に対して直交する他端部１１に沿って固定された状態で前記他端部１１に対して直交する方向へ張り出した連結板７とを一体に組み付けてなり、前記帯板６を前記支持脚２上に設置するとともに、その帯板６の張出部１５に、隣接する床パネル１の床下地材５の端部を設置し、前記連結板７の張出部１７に、別の隣接する床パネル１の床下地材５の端部を設置したことを特徴とする。
【００１２】
また、前記帯板６を、前記床下地材５の他端部１１に対して直交する方向へも張り出すように延出して、その延出部１６に、前記別の隣接する床パネル１の床下地材５の端部を設置している。
【００１３】
この発明の床パネル１は、複数の支持脚２・・によって所定の高さ位置に支持された状態で並設されて、二重床を構成するものであって、略長方形又は略正方形の床下地材５と、この床下地材５の一端部１０に沿って固定された状態で前記一端部１０に対して直交する方向へ張り出した帯板６と、前記床下地材５の一端部１０に対して直交する他端部１１に沿って固定された状態で前記他端部１１に対して直交する方向へ張り出した連結板７とを一体に組み付けてなり、前記帯板６を前記支持脚２上に設置するとともに、その帯板６の張出部１５に、隣接する床パネル１の床下地材５の端部を設置し、前記連結板７の張出部１７に、別の隣接する床パネル１の床下地材５の端部を設置するようにしたことを特徴とする。
【００１４】
また、前記帯板６を、前記床下地材５の他端部１１に対して直交する方向へも張り出すように延出して、その延出部１６に、前記別の隣接する床パネル１の床下地材５の端部を設置するようにしている。
【００１５】
さらに、帯板６の裏面に、前記支持脚２を一体に組み付けたり、前記床下地材５の裏面に、断熱材８を一体に組み付けている。
【発明の効果】
【００１６】
この発明によると、床下地材、帯板、連結板を一体に組み付けてなる床パネルを用いているので、これら床パネルを敷き込むだけで、帯板及び連結板の取り付け作業も同時に行うことができ、これによって施工を簡単にしながら、隣接する床パネル間において目地部分に段差を生じさせることなく、床パネル同士を安定して連結することができる。
【００１７】
また、帯板を延出してなる延出部に、別の隣接する床パネルの床下地材の端部を設置することで、支持脚の位置が帯板の長手方向に沿って多少ずれるようなことがあっても、別の隣接する床パネルを安定して敷き込むことができる。
【００１８】
さらに、床パネルに対して支持脚や断熱材を一体に組み付けることによって、床パネルを敷き込むと同時に、支持脚や断熱材の取り付けも同時に行うことができ、施工性をさらに高めることができる。
【発明を実施するための最良の形態】
【００１９】
以下、この発明の実施形態を図面に基づいて詳細に説明する。この発明の一実施形態に係る二重床は、図１及び図２に示すように、戸建て住宅の一階床として適用され、複数の床パネル１・・を複数の支持脚２・・によって所定の高さ位置に支持した状態で並設することによって構成されている。なお、これら床パネル１・・上には、フローリング材等の床仕上げ材を敷き詰めるようになっている。
【００２０】
床パネル１は、図３及び図４に示すように、床下地材５、帯板６、連結板７及び断熱材８を、工場等において予め一体に組み付けて構成されている。
【００２１】
床下地材５は、例えば略長方形状の構造用合板からなり、長手方向の長さが約１０００ｍｍ、短手方向の長さが約５００ｍｍに設定されている。なお、床下地材５としては、略長方形状に形成したものに限らず、例えば略正方形状に形成したものであっても良い。
【００２２】
帯板６は、例えば構造用合板からなり、床下地材５の一端部としての一方の長辺側端部１０の裏面にビス１４・・によって固定されている。この帯板６は、床下地材５の長辺側端部１０に沿って配されて、その幅方向の略半分が長辺側端部１０に対して直交する方向へ張り出した張出部１５とされている。また、帯板６の一端部は、床下地材５の他端部としての一方の短辺側端部１１に対して直交する方向へも張り出すように延出した延出部１６とされ、帯板６の他端部は、他方の短辺側端部１２の端面まで達することなく、その端面よりも内側に位置している。
【００２３】
連結板７は、例えば構造用合板からなり、床下地材５における一方の短辺側端部１１の裏面にビス１４・・によって固定されている。この連結板７は、床下地材５の短辺側端部１１に沿って配されて、その幅方向の略半分が短辺側端部１１に対して直交する方向へ張り出した張出部１７とされている。また、連結板７の両端部は、床下地材５の両長辺側端部１０、１３の端面まで達することなく、その端面よりも内側に位置している。
【００２４】
このようにして帯板６及び連結板７を床下地材５に固定することで、床下地材５に対して、帯板６の張出部１５、延出部１６及び連結板７の張出部１７が略Ｌ状に張り出した状態となっている。
【００２５】
断熱材８は、例えば略直方体状の発泡ポリスチレンからなり、床下地材５の裏面に接着剤等によって固定されている。この断熱材８における周端部のうち、一方の長辺側端部及び一方の短辺側端部の上面側が一定の幅で浅く切り欠かれて、これら長辺側端部と短辺側端部の間のコーナー部分がＬ形に切り欠かれている。
【００２６】
そして、断熱材８の長辺側端部を切り欠いた部分は、床下地材５に固定した帯板６が嵌り込む第１収容部２０とされ、短辺側端部を切り欠いた部分は、床下地材５に固定した連結板７が嵌り込む第２収容部２１とされている。また、断熱材８のＬ形に切り欠いた部分は、支持脚２の上端部が挿入される第３収容部２２とされ、この第３収容部２２の上方は帯板６の一端部すなわち延出部１６によって覆われている。
【００２７】
また、断熱材８の他方の長辺側端部及び他方の短辺側端部は、床下地材５の他方の長辺側端部１３及び他方の短辺側端部１２の端面まで達することなく、その端面の内側に位置している。すなわち、断熱材８に対して、床下地材５の他方の長辺側端部１３及び他方の短辺側端部１２が側方へ張り出した状態となっている。
【００２８】
支持脚２は、図５に示すように、土間コンクリート３０上に固定される例えば金属板からなる基台３１と、この基台３１に立設した棒状体３２と、この棒状体３２によって高さ調整可能に支持された例えば金属板からなるパネル受け台３３とから構成されている。
【００２９】
棒状体３２は、ターンバックル部３４と、このターンバックル部３４の上端部に螺合された上側ボルト部３５と、ターンバックル部３４の下端部に螺合された下側ボルト部３６とを備え、パネル受け台３３の略中央部に上側ボルト部３５の上端部が空回り可能に取り付けられ、基台３１の略中央部に下側ボルト部３６の下端部が固定されている。
【００３０】
上側ボルト部３５と下側ボルト部３６には、互いに逆向きの螺子が形成されている。また、これら上側ボルト部３５及び下側ボルト部３６には、ターンバックル部３４との螺合部分におけるぐらつきや音なりを防止するナット３７、３７が螺合されている。さらに、上側ボルト部３５の上端には、六角棒スパナ等を係合する係合孔３８が形成され、この係合孔３８がパネル受け台３３の中央部において露出している。
【００３１】
なお、支持脚２としては、上記構造のものに限定されるものではなく、少なくともパネル受け台を高さ調整可能に支持する構造のものであれば良い。
【００３２】
次に、二重床の施工方法について説明する。まず、図６に示すように、複数の支持脚２・・を所定の間隔をあけて土間コンクリート３０上にビス止め固定する。続いて、図７及び図８に示すように、床パネル１・・を一列づつ順次敷き込んでいく。
【００３３】
このとき、外周基礎３９周りの床パネル１・・においては、その床下地材５の他方の長辺側端部１３や他方の短辺側端部１２を、支持脚２・・のパネル受け台３３・・上に載置するとともに、その第３収容部２２に挿入した支持脚２のパネル受け台３３上に、帯板６の延出部１６を載置する。また、中間部に位置する床パネル１・・においては、その第３収容部２２に挿入した支持脚２のパネル受け台３３上に、帯板６の延出部１６を載置する。
【００３４】
また、床パネル１における帯板６の張出部１５には、隣接する床パネル１における床下地材５の長辺側他端部１３を載置し、床パネル１における帯板６の延出部１６及び連結板７の張出部１７には、別の隣接する床パネル１の床下地材５の短辺側端部１２を載置する。これにより、例えば図９に示すように、支持脚２の位置が帯板６の長手方向に多少ずれるようなことがあっても、床パネル１を安定して敷き込むことができる。
【００３５】
このようにして床パネル１・・を敷き込んだ後、接着剤による接着やビス止め等によって、隣接する床パネル１・・の床下地材５・・同士を帯板６・・及連結板７・・を介して連結するとともに、床パネル１・・の帯板６・・と支持脚２・・のパネル受け台３３・・とを連結する。
【００３６】
このように、帯板６、連結板７、断熱材８及び床下地材５を予め一体に組み付けた床パネル１を順次敷き込むことで、これらの取り付け作業を同時に行って、施工の簡略化を図ることができる。
【００３７】
なお、支持脚２・・を土間コンクリート３０に設置した後、それら支持脚２・・上に床パネル１・・を設置する代わりに、図１０に示すように、床パネル１・・の帯板６の一端部裏面に支持脚２を予め取り付けて、それら床パネル１・・を順次敷き込むようにしても良い。この場合、支持脚２・・及び床パネル１・・の設置を同時に行うことができ、より一層の施工性の向上を図ることができる。
【００３８】
敷き込んだ床パネル１・・に対しては、一列分毎にレベル出しを行う。このレベル出しは、支持脚２・・におけるターンバックル部３４の上下のナット３７、３７を緩めて、ターンバックル部３４を回転させながら水糸に合わせてパネル受け台３３・・の高さを調整し、この高さ調整後に、ナット３７、３７を締め付けて固定する。
【００３９】
この発明は、上記実施形態に限定されるものではなく、この発明の範囲内で上記実施形態に多くの修正及び変更を加え得ることは勿論である
【図面の簡単な説明】
【００４０】
【図１】この発明の一実施形態に係る二重床の側面図である。
【図２】二重床の平面図である。
【図３】床パネルの斜視図である。
【図４】床パネルの分解斜視図である。
【図５】支持脚の斜視図である。
【図６】支持脚の設置状態を示す斜視図である。
【図７】床パネルの敷き込み状態を示す斜視図である。
【図８】床パネルの敷き込み状態を示す側面図である。
【図９】支持脚の位置ずれ状態を示す側面図である。
【図１０】支持脚を予め取り付けた床パネルの敷き込み状態を示す側面図である。
【図１１】従来の二重床の平面図である。
【符号の説明】
【００４１】
１・・床パネル、２・・支持脚、５・・床下地材、６・・帯板、７・・連結板、８・・断熱材、１０・・床下地材の一端部、１１・・床下地材の他端部、１５・・帯板の張出部、１６・・帯板の延出部、１７・・連結板の張出部
【図１】
2007113190.tif 000003
【図２】
2007113190.tif 000004
【図３】
2007113190.tif 000005
【図４】
2007113190.tif 000006
【図５】
2007113190.tif 000007
【図６】
2007113190.tif 000008
【図７】
2007113190.tif 000009
【図８】
2007113190.tif 000010
【図９】
2007113190.tif 000011
【図１０】
2007113190.tif 000012
【図１１】
2007113190.tif 000013